【手続補正書】
【提出日】平成15年12月19日(2003.12.19)
【手続補正１】
【補正対象書類名】明細書
【補正対象項目名】発明の名称
【補正方法】変更
【補正の内容】
【発明の名称】画像補正処理装置及びそのプログラム記録媒体
【手続補正２】
【補正対象書類名】明細書
【補正対象項目名】特許請求の範囲
【補正方法】変更
【補正の内容】
【特許請求の範囲】
【請求項１】
入力画像を画像データとして入力する画像入力装置と、
前記画像データの大きさと前記入力画像の大きさとの比較の結果に基づいて算出された、前記画像データを補正するための入力補正値を用いて、前記画像データを補正する補正処理装置とを備える
ことを特徴とする画像補正処理装置。
【請求項２】
当該画像補正処理装置が、更に、
前記画像データの大きさと前記入力画像の大きさとの比較の結果に基づいて予め算出された入力補正値を格納する入力補正テーブルを備え、
前記補正処理装置が、前記入力補正テーブルに格納された当該画像入力装置についての入力補正値を用いて、前記画像データを補正する
ことを特徴とする請求項１に記載の画像補正処理装置。
【請求項３】
画像データを出力画像として出力する画像出力装置と、
前記出力画像の大きさと前記画像データの大きさとの比較の結果に基づいて算出された、前記出力画像を補正するための出力補正値を用いて、前記画像データを補正する補正処理装置とを備える
ことを特徴とする画像補正処理装置。
【請求項４】
当該画像補正処理装置が、更に、
前記出力画像の大きさと前記画像データの大きさとの比較の結果に基づいて予め算出された出力補正値を格納する出力補正テーブルを備え、
前記補正処理装置が、前記出力補正テーブルに格納された当該画像出力装置についての出力補正値を用いて、前記画像データを補正する
ことを特徴とする請求項３に記載の画像補正処理装置。
【請求項５】
入力画像を画像データとして入力する画像入力装置と、
前記画像データを出力画像として出力する画像出力装置と、
前記画像データの大きさと前記入力画像の大きさとの比較の結果に基づいて算出された前記画像データを補正するための入力補正値であって当該画像入力装置についての入力補正値と、前記出力画像の大きさと前記画像データの大きさとの比較の結果に基づいて算出された前記画像データを補正するための出力補正値であって当該画像出力装置についての出力補正値とに基づいて得られる総合補正値を用いて、前記画像データを補正する補正処理装置とを備える
ことを特徴とする画像補正処理装置。
【請求項６】
入力画像を画像データとして入力する画像入力装置と、
前記画像データを出力画像として出力する画像出力装置と、
第１の画像データと、前記第１の画像データを前記画像出力装置から出力した結果を更に前記画像入力装置から入力して得た第２の画像データとの比較の結果に基づいて、前記画像データを補正するための総合補正値を算出する補正処理装置とを備える
ことを特徴とする画像補正処理装置。
【請求項７】
前記補正処理装置が、前記画像データを補正するための入力補正値であって当該画像入力装置についての入力補正値、又は、前記画像データを補正するための出力補正値であって当該画像出力装置についての出力補正値が既知である場合、前記総合補正値から当該入力補正値又は出力補正値を差し引くことにより、当該画像出力装置についての出力補正値、又は、当該画像入力装置についての入力補正値を算出する
ことを特徴とする請求項６に記載の画像補正処理装置。
【請求項８】
画像を補正するプログラムを記録する記録媒体であって、
当該プログラムは、コンピュータに、
入力画像を画像データとして入力する画像処理手順と、
前記画像データの大きさと前記入力画像の大きさとの比較の結果に基づいて算出された、前記画像データを補正するための入力補正値を用いて、前記画像データを補正する補正処理手順とを実行させる
ことを特徴とするコンピュータ読取可能な記録媒体。
【請求項９】
画像を補正するプログラムを記録する記録媒体であって、
当該プログラムは、コンピュータに、
画像データを出力画像として出力する画像出力手順と、
前記出力画像の大きさと前記画像データの大きさとの比較の結果に基づいて算出された、前記出力画像を補正するための出力補正値を用いて、前記画像データを補正する補正処理手順とを実行させる
ことを特徴とするコンピュータ読取可能な記録媒体。
【請求項１０】
画像を補正するプログラムを記録する記録媒体であって、
当該プログラムは、コンピュータに、
入力画像を画像データとして入力する画像入力手順と、
前記画像データを出力画像として出力する画像出力手順と、
前記画像データの大きさと前記入力画像の大きさとの比較の結果に基づいて算出された前記画像データを補正するための入力補正値であって当該画像入力手順についての入力補正値と、前記出力画像の大きさと前記画像データの大きさとの比較の結果に基づいて算出された前記画像データを補正するための出力補正値であって当該画像出力手順についての出力補正値とに基づいて得られる総合補正値を用いて、前記画像データを補正する補正処理手順とを実行させる
ことを特徴とするコンピュータ読取可能な記録媒体。
【請求項１１】
画像を補正するプログラムを記録する記録媒体であって、
当該プログラムは、コンピュータに、
入力画像を画像データとして入力する画像入力手順と、
前記画像データを出力画像として出力する画像出力手順と、
第１の画像データと、前記第１の画像データを前記画像出力手順において出力した結果を更に前記画像入力手順において入力して得た第２の画像データとの比較の結果に基づいて、前記画像データを補正するための総合補正値を算出する補正処理手順とを実行させる
ことを特徴とするコンピュータ読取可能な記録媒体。
【手続補正３】
【補正対象書類名】明細書
【補正対象項目名】０００１
【補正方法】変更
【補正の内容】
【０００１】
【発明の属する技術分野】
本発明は、画像補正処理装置及びそのプログラム記録媒体に関し、特に、当該画像入力装置についての入力補正値、又は、当該画像出力装置についての出力補正値を用いて画像データを補正する画像補正処理装置及びそのプログラム記録媒体に関する。


【手続補正４】
【補正対象書類名】明細書
【補正対象項目名】００１２
【補正方法】変更
【補正の内容】
【００１２】
また、本発明は、画像データを補正するための補正値を自動的に算出する画像補正処理装置を提供することを目的とする。
また、本発明は、入力画像の画像データを自動的に補正するプログラムを記録した記録媒体を提供することを目的とする。
また、本発明は、出力画像を出力するための画像データを自動的に補正するプログラムを記録した記録媒体を提供することを目的とする。
また、本発明は、入力画像と画像データとの相違及び画像データと出力画像との相違に基づいて得られる総合補正値を用いて画像データを自動的に補正するプログラムを記録した記録媒体を提供することを目的とする。
また、本発明は、画像データを補正するための補正値を自動的に算出するプログラムを記録した記録媒体を提供することを目的とする。
【手続補正５】
【補正対象書類名】明細書
【補正対象項目名】００１７
【補正方法】変更
【補正の内容】
【００１７】
また、本発明の画像補正処理装置は、図１（Ｄ）に示すように、入力画像１を画像データ４として入力する画像入力装置２と、画像データ４を出力画像６として出力する画像出力装置５と、第１の画像データ４と、第１の画像データ４を画像出力装置５から出力した結果を更に画像入力装置２から入力して得た第２の画像データ４との比較の結果に基づいて、画像データ４を補正するための総合補正値を算出する補正処理装置３とを備える。
また、本発明の記録媒体は、以上に述べた処理を当該画像入出力装置であるコンピュータに実現させるプログラムを格納したプログラム記録媒体である。
【手続補正６】
【補正対象書類名】明細書
【補正対象項目名】００１８
【補正方法】変更
【補正の内容】
【００１８】
本発明の画像補正処理装置及びそのプログラム記録媒体によれば、図１（Ａ）に示すように、補正処理装置３が入力補正値を用いて画像データ４を自動的に補正する。入力補正値は、画像データ４の大きさと入力画像１の大きさとの比較の結果に基づいて算出されているので、補正後の画像データ４は、入力画像１を忠実に再現したものとなる。


【手続補正７】
【補正対象書類名】明細書
【補正対象項目名】００１９
【補正方法】変更
【補正の内容】
【００１９】
また、本発明の画像補正処理装置及びそのプログラム記録媒体によれば、図１（Ｂ）に示すように、補正処理装置３が出力補正値を用いて画像データ４を自動的に補正する。出力補正値は、出力画像６の大きさと画像データ４の大きさとの比較の結果に基づいて算出されているので、補正後の画像データ４を用いて出力した出力画像６は、画像データ４を忠実に再現したものとなる。


【手続補正８】
【補正対象書類名】明細書
【補正対象項目名】００２０
【補正方法】変更
【補正の内容】
【００２０】
また、本発明の画像補正処理装置及びそのプログラム記録媒体によれば、図１（Ｃ）に示すように、補正処理装置３が総合補正値を用いて画像データ４を自動的に補正する。総合補正値は入力補正値と出力補正値とに基づいて得られる。入力補正値は画像データ４の大きさと入力画像１の大きさとの比較の結果に基づいて算出される。出力補正値は出力画像６の大きさと画像データ４の大きさとの比較の結果に基づいて算出される。従って、補正後の画像データ４を用いて出力した出力画像６は、入力画像１を忠実に再現したものとなる。


【手続補正９】
【補正対象書類名】明細書
【補正対象項目名】００２１
【補正方法】変更
【補正の内容】
【００２１】
また、本発明の画像補正処理装置及びそのプログラム記録媒体によれば、図１（Ｄ）に示すように、補正処理装置３が総合補正値を用いて画像データ４を自動的に補正する。総合補正値は第１の画像データ４と、第１の画像データ４を画像出力装置５から出力した結果を更に画像入力装置２から入力して得た第２の画像データ４との比較の結果に基づいて算出される。従って、この総合補正値を用いて補正した後の画像データ４を用いて出力した出力画像６は、入力画像１を忠実に再現したものとなる。


【手続補正１０】
【補正対象書類名】明細書
【補正対象項目名】００２２
【補正方法】変更
【補正の内容】
【００２２】
以上のように、本発明の画像補正処理装置及びそのプログラム記録媒体によれば、たとえ、画像入力装置２の読み取り特性により入力画像１と画像データ４との間に誤差を生じるとしても、また、画像出力装置５の出力特性により画像データ４と出力画像６との間に誤差を生じるとしても、入力画像１と出力画像６とを正確に一致させることができる。


【手続補正１１】
【補正対象書類名】明細書
【補正対象項目名】００８８
【補正方法】変更
【補正の内容】
【００８８】
また、本発明は、以上に述べた処理を当該画像入出力装置であるコンピュータに実現させるプログラムを格納したプログラム記録媒体を提供する。従って、当該プログラム記録媒体も本発明の技術的範囲に属するものである。


【手続補正１２】
【補正対象書類名】明細書
【補正対象項目名】００８９
【補正方法】変更
【補正の内容】
【００８９】
【発明の効果】
以上説明したように、本発明によれば、画像補正処理装置及びそのプログラム記録媒体において、画像データの大きさと入力画像の大きさとの比較の結果に基づいて算出された入力補正値を用いて画像データを補正することにより、画像データを自動的に補正して入力画像を忠実に再現した画像データを得ることができるので、画像入力装置の読み取り特性により入力画像と画像データとの間に誤差を生じるとしても入力画像と画像データとを正確に一致させることができる。


【手続補正１３】
【補正対象書類名】明細書
【補正対象項目名】００９０
【補正方法】変更
【補正の内容】
【００９０】
また、本発明によれば、画像補正処理装置及びそのプログラム記録媒体において、出力画像の大きさと画像データの大きさとの比較の結果に基づいて算出された出力補正値を用いて画像データを補正することにより、画像データを自動的に補正して補正前の画像データを忠実に再現した出力画像を得ることができるので、画像出力装置の出力特性により画像データと出力画像との間に誤差を生じるとしても画像データと出力画像とを正確に一致させることができる。


【手続補正１４】
【補正対象書類名】明細書
【補正対象項目名】００９１
【補正方法】変更
【補正の内容】
【００９１】
また、本発明によれば、画像補正処理装置及びそのプログラム記録媒体において、画像データの大きさと入力画像の大きさとの比較の結果に基づいて算出された入力補正値と出力画像の大きさと画像データの大きさとの比較の結果に基づいて算出された出力補正値とに基づいて得られる総合補正値を用いて画像データを補正することにより、画像データを自動的に補正して入力画像を忠実に再現した出力画像を得ることができるので、画像入力装置の読み取り特性により入力画像と画像データとの間に誤差を生じるとしても、また、画像出力装置の出力特性により画像データと出力画像との間に誤差を生じるとしても、入力画像と出力画像とを正確に一致させることができる。


【手続補正１５】
【補正対象書類名】明細書
【補正対象項目名】００９２
【補正方法】変更
【補正の内容】
【００９２】
また、本発明によれば、画像補正処理装置及びそのプログラム記録媒体において、第１の画像データと、第１の画像データを画像出力装置から出力した結果を更に画像入力装置から入力して得た第２の画像データとの比較の結果に基づいて画像データを補正するための総合補正値を算出することにより、画像データを補正するための総合補正値を得ることができるので、画像データを自動的に補正して入力画像を忠実に再現した出力画像を得ることができ、結果として、画像入力装置の読み取り特性により入力画像と画像データとの間に誤差を生じるとしても、また、画像出力装置の出力特性により画像データと出力画像との間に誤差を生じるとしても、これを意識することなく入力画像と出力画像とを正確に一致させることができる。